(57)【特許請求の範囲】
【請求項１】
送風路により連通された吸込口および吹出口を設けた室内機本体と、
室内機本体内に設けられたられた熱交換器と、
室内機本体内で熱交換器の後流側に配置された送風機と、
室内機本体の底面又は前面に形成した開口部を介して設けられたスイッチ機構部を備え、
前記スイッチ機構部は、
前記開口部に対向するように室内機本体内に収容されリモコンからの制御信号光を受光する受光素子と、
この受光素子の近傍に設けられ空気調和機を強制運転させる押圧式スイッチと、
押圧されることにより前記押圧式スイッチを動作させるスイッチ操作体を有し、
前記受光素子と前記押圧式スイッチは、同一の取付基板に取り付けられて、前記室内機本体内に取り付けられ、
前記スイッチ操作体は、
透光性材質からなり、前記開口部を塞ぎかつ、平面視長方形状でほぼ平板状をなし、テコの作用をなすように、前記開口部の反押圧式スイッチ側端部に位置する支点端部で前記室内機本体に軸支され、前記開口部に遊嵌するようにして前記開口部を塞ぐ一方、使用者により押圧され、力点として作用しかつリモコンからの信号を透過させて前記受光素子に伝えるため、リモコンの操作位置が比較的広範囲においても信号が透過するよう、比較的大きな矩形状の面積を有する押圧面と、
この押圧面からわずかに突出して連設され、この突出を利用して前記開口部に遊嵌し前記開口部を塞ぐようにして、常時スプリングによって下方に付勢されている押圧力伝達部材を押圧し、この押圧力伝達部材を介して前記押圧式スイッチを動作させる作用点としてのスイッチ押圧部とが設けられ、前記押圧面を押圧することにより前記押圧式スイッチを動作させるようにした
ことを特徴とする空気調和機の室内機。
【発明の詳細な説明】
【技術分野】
【０００１】  本発明は空気調和機の室内機に係り、特に応急運転スイッチのスイッチ操作体と受光素子用の開口カバーを兼用した空気調和機の室内機に関する。
【背景技術】
【０００２】  一般に空気調和機は冷房運転、暖房運転、除湿運転、空気清浄運転等の種々の運転状態で運転することが可能になっており、室内機外に付属されるリモコンから送信される赤外線信号による運転開始や運転終了の指令、使用者が設定した室温や風量、風向、その他の運転に係る設定が行われる。【０００３】  時として、このリモコンは紛失する場合があり、この対応として、応急運転スイッチを設けることが行われている（例えば、特開２００３−７４９０１号公報（特許文献１）参照）。【０００４】  しかし、特許文献１に記載の応急運転スイッチは、目立たないよう小形の応急運転スイッチが取り付けられているため、押しにくく、また、運転状態表示部と併設されているため、この運転状態表示部の発光素子との区別がつきにくく、操作性に改良の余地があった。また、応急運転スイッチと受光部が別個に形成されているため高価になっている。【０００５】発明の開示
本発明は上述した事情を考慮してなされたもので、応急運転スイッチの位置の確認を容易に行うことができかつ、応急運転スイッチが押しやすく、また、コストの低減を図ることができる空気調和機の室内機を提供することを目的とする。【０００６】
上記の目的を達成させるために提供される本空気調和機の室内機は、送風路により連通された吸込口および吹出口を設けた室内機本体と、室内機本体内に設けられたられた熱交換器と、室内機本体内で熱交換器の後流側に配置された送風機と、室内機本体の底面又は前面に形成した開口部を介して設けられたスイッチ機構部を備え、前記スイッチ機構部は、前記開口部に対向するように室内機本体内に収容されリモコンからの制御信号光を受光する受光素子と、この受光素子の近傍に設けられ空気調和機を強制運転させる押圧式スイッチと、押圧されることにより前記押圧式スイッチを動作させるスイッチ操作体を有し、前記受光素子と前記押圧式スイッチは、同一の取付基板に取り付けられて、前記室内機本体内に取り付けられ、前記スイッチ操作体は、透光性材質からなり、前記開口部を塞ぎかつ、平面視長方形状でほぼ平板状をなし、テコの作用をなすように、前記開口部の反押圧式スイッチ側端部に位置する支点端部で前記室内機本体に軸支され、前記開口部に遊嵌するようにして前記開口部を塞ぐ一方、使用者により押圧され、力点として作用しかつリモコンからの信号を透過させて前記受光素子に伝えるため、リモコンの操作位置が比較的広範囲においても信号が透過するよう、比較的大きな矩形状の面積を有する押圧面と、この押圧面からわずかに突出して連設され、この突出を利用して前記開口部に遊嵌し前記開口部を塞ぐようにして、常時スプリングによって下方に付勢されている押圧力伝達部材を押圧し、この押圧力伝達部材を介して前記押圧式スイッチを動作させる作用点としてのスイッチ押圧部とが設けられ、前記押圧面を押圧することにより前記押圧式スイッチを動作させるようにしたことを特徴とする。
【０００７】  また、本発明の好適な実施例によれば、前記受光素子とスイッチ操作体は同一の小形な取付基板に取り付けられ、取付箱に収容されて、室内機本体内に取り付けることができる。【０００８】  また、前記スイッチ操作体は、ほぼ平板状をなし、前記開口部の一端側に位置する支点端部で室内機本体に軸支され、開口部に遊嵌するようにして開口部を塞ぐ一方、押圧され、力点としての比較的大きな面積を有する押圧面と、常時スプリングによって下方に付勢されている押圧力伝達部材を押圧し、押圧力伝達部材を介して押圧式スイッチを動作させる作用点としてのスイッチ押圧部が設けてもよい。このスイッチ押圧部は押圧面からわずかに突出して連設され、この突出を利用して開口部に遊嵌し開口部を塞ぐようにする事も可能である。【０００９】  このような特徴を有する本発明の空気調和気の室内機によれば、応急運転スイッチの位置の確認を容易であり、応急運転スイッチが押しやすいので、その操作性を高める事ができる。さらに、室内機本体の前面に設けられる発光素子などの表示部と離間されているため、表示機能と操作機能を明確に区別できる。また、スイッチ機構部を室内機本体と略同一平面にできるので、機能性とデザイン性を向上させることができ、また、コストの低減を図ることができる空気調和機の室内機を提供することができる。
【発明を実施するための最良の形態】
【００１０】  以下、本発明に係る空気調和機の室内ユニットの一実施形態について添付図面を参照して説明する。尚、以下の記載に於いて、上下、左右等、方向を示す言葉は添付図面に記載の状態または、室内ユニットの実際の取り付け状態に関して述べられている。【００１１】  図１は本実施形態の空気調和機の室内ユニットの正面図、図２はその底面図、図３はその中央部分における側断面図、図４はスイッチ機構部の斜視図、図５はスイッチ機構部が配置された側端部付近の側断面図である。【００１２】  図１乃至図５に示すように、本実施形態に係る空気調和機の室内ユニット１は室内機本体２を有し、この室内機本体２には、その前面および上面に吸込口３が設けられ、前面の下部には吹出口４が設けられている。【００１３】  室内機本体２内には、吸込口３と吹出口４を連通するように送風路５が形成され、この送風路５内に吸込口３と対向して熱交換器６が設けられ、さらに、この熱交換器６の後流側には送風機７が設けられている。【００１４】  また、吹出口４には熱交換空気の風向を設定するルーバ８が設けられ、さらに、室内機本体２の吸込口側前面には、室内機本体２の前面を覆う板状の前面パネル２ａが取り付けられ、この前面パネル２ａの下側には吸込口３の一部を構成する前面下部吸込口３ａが形成されている。【００１５】  さらに、室内機本体２の前面の幅方向に前面下部吸込口３ａと吹出口４との間を仕切る仕切板９が形成されている。【００１６】  なお、熱交換器６と吸込口３の間には、フィルタ１０が介設される。【００１７】  また、仕切板９の上端縁から前面下部吸込口３ａの内部に向かって後方斜め上方に傾斜して前面パネル２ａの下端より若干低い高さの位置まで延設する通風路壁１１が設けられ、この通風路壁１１上端部に前面パネル２ａ下端と略同等の高さに位置し、幅方向に設置された光透過性半透明材料からなる帯状部材１２が設けられている。【００１８】  この帯状部材１２は半透明の合成樹脂からなり、前面下部吸込口３ａの幅と略同じ幅を持つ細長形状となっており、仕切板９の上部に固定できるように、左右方向の所定箇所に係止片（図示せず）を形成している。【００１９】  帯状部材１２にはこの帯状部材１２と一体的に設けた複数の発光表示部からなる運転状態表示部１３が設けられている。この運転状態表示部１３は、運転状態を示すため、帯状部材１２の中央部に横方向に所定間隔で複数配設し、透光材料からなるプリズム状の光学系部材と発光ダイオード１６により発光表示するよう構成する。この発光ダイオード１６は、透明、黄色、緑色、赤色、青色などの色が使用され、夫々の運転モード、機能などに応じて、点灯する位置や色を変えることにより、その時の運転状態を表示するようになっている。【００２０】  さらに、室内機本体の底面には、スイッチ機構部１７が設けられている。【００２１】  このスイッチ機構部１７は、図４乃至図６に示すように、室内機本体底面に設けられた矩形状の開口１８と、この開口１８に対向するように室内機本体２に収容されリモコンからの制御信号を受光する受光素子１９と、この受光素子１９の近傍に設けられ空気調和機を強制運転させる応急運転スイッチとしての押圧式スイッチ２０と、透光性材質からなり、開口１８を塞ぎ、押圧されることにより、押圧力伝達部材２１を介して、押圧式スイッチ２０を動作させ、開口カバーを兼ねたスイッチ操作体２２を有している。【００２２】  受光素子１９とスイッチ操作体２２は同一の小形な取付基板２３に取り付けられ、取付箱２４に収容されて、室内機本体２内に取り付けられている。【００２３】  スイッチ操作体２２は、平面視長方形状でほぼ平板状をなし、テコの作用をなすように、開口１８の反押圧式スイッチ側端部に位置する支点端部２２ａで室内機本体２に軸支され、開口１８に遊嵌するようにして開口１８を塞ぎ、使用者により押圧され、力点としての比較的大きな面積を有する押圧面２２ｂと、常時スプリング２５によって下方に付勢されている押圧力伝達部材２１を押圧し、この押圧力伝達部材２１を介して押圧式スイッチ２０を動作させる作用点としてのスイッチ押圧部２２ｃが設けられている。このスイッチ押圧部２２ｃは押圧面２２ｂからわずかに突出して連設され、この突出を利用して開口１８に遊嵌し開口１８を塞ぐようになっている。この押圧面２２ｂは、リモコンからの信号を透過させて受光素子１９に伝えるため、リモコンの操作位置が比較的広範囲においても
信号が透過するよう、その面積は大きく設定される。このため、スイッチ押圧面２２ｂの機能としても、広い面で操作することが出来、操作性も向上するという、２面のメリットを兼ね備えている。【００２４】  本実施形態の空気調和機の室内機本体は、上記のようなスイッチ機構部１７が設けられているので、通常の使用時、リモコンから発光された光は、確実に開口カバーを兼ねたスイッチ操作体２２の押圧面２２ｂを透過し、受光素子１９で受光され、室内ユニット２に希望運転状態（モード）を入力する。【００２５】  一方、空気調和機を運転したいが、リモコンの電池切れ故障などでリモコン操作が出来ない場合には、開口カバーを兼ねたスイッチ操作体２２の押圧面２２ｂを押圧することにより、押圧式スイッチ２０をＯＮにして空気調和機を運転させることができる。【００２６】  このように、スイッチ操作体２２は、開口１８を塞ぐ比較的大きな矩形状の押圧面２２ｂを有するため、押圧式スイッチ２０の位置の確認を容易に行うことができ、また、押し難さをなくして、その操作性を高めることができるとともに、リモコンからの光を押圧面２２ｂを通して確実に受光素子１９に伝えることができる。さらに、室内機本体の前面に設けられる発光素子などの表示部と離間されているため、表示機能と操作機能を明確に区別できる。また、スイッチ機構部１７を室内機本体２と略同一平面にできるので、機能性とデザイン性を向上させることができる。【００２７】  なお、図６において、スイッチ機構部１７が配置される室内機本体２の一側部には、室内ユニットの電気部品を装着した制御基板を収納する電気部品箱２６が配置されており、前記スイッチ機構部１７の取付基板２３と電気配線で接続される。【００２８】  上述のように本実施形態の空気調和機の室内機によれば、応急運転スイッチが押しやすく、また、応急運転スイッチの位置の確認を容易に行うことができかつ、コストの低減を図ることができる空気調和機の室内機が実現される。
【図面の簡単な説明】
【００２９】
【図１】本発明に係る空気調和機の室内機の概略正面図。
【図２】本発明に係る空気調和機の室内機の概略底面図。
【図３】本発明に係る空気調和機の室内機の拡大側断面図。
【図４】本発明に係る空気調和機の室内機に設けられたスイッチ機構部近傍の斜視図。
【図５】本発明に係る空気調和機の室内機に設けられたスイッチ機構部近傍の側断面図。
【図６】本発明に係る空気調和機の室内機に設けられたスイッチ機構部近傍の側断面図。
【図１】
0004805847.tif 000002
【図２】
0004805847.tif 000003
【図３】
0004805847.tif 000004
【図４】
0004805847.tif 000005
【図５】
0004805847.tif 000006
【図６】
0004805847.tif 000007